(57)【要約】      （修正有）【課題】トレイに対して側方への力が加わってもトレイが摺動位置から外れ難い引き出しを提供する。【解決手段】引き出し１は、引き出し本体１０と、物Ｇ１を収納する収納凹部５１を有するトレイ５０と、を備え、引き出し本体１０の側部２０にトレイ５０の底部が載置され、引き出し本体１０に対してトレイ５０が側部２０に沿って摺動可能とされ、トレイ５０の側部７０は、下側へ延長されて引き出し本体１０の側部２０と内外に重なる延長部７２を有し、キャビネットは、キャビネット本体に対して引き出し１を引き出し可能に収容する。【選択図】図２
2015100456.tif 000002
【特許請求の範囲】
【請求項１】
引き出し本体と、
物を収納する収納凹部を有するトレイと、を備え、
前記引き出し本体の側部に前記トレイの底部が載置されて前記引き出し本体に対して前記トレイが前記側部に沿って摺動可能とされ、
前記トレイの側部は、下側へ延長されて前記引き出し本体の側部と内外に重なる延長部を有することを特徴とする引き出し。
【請求項２】
前記延長部は、前記引き出し本体の側部の外側に配置されていることを特徴とする請求項１に記載の引き出し。
【請求項３】
前記引き出し本体の側部のうち前記延長部と内外に重なる重なり部の外側面は、前記引き出し本体の側部のうち前記重なり部の下にある基部の外側面よりも内側にあることを特徴とする請求項２に記載の引き出し。
【請求項４】
前記トレイの側部の延長部の外側面は、前記引き出し本体の側部の基部の外側面に合わせられていることを特徴とする請求項３に記載の引き出し。
【請求項５】
前記トレイの底部は、下側へ出て前記引き出し本体の側部の上端に対して前記トレイの摺動方向へ移動可能に載置される脚部を有し、
前記引き出し本体の側部の上端は、該上端に沿って前記脚部を案内するガイド部を有することを特徴とする請求項１〜請求項４のいずれか一項に記載の引き出し。
【請求項６】
前記引き出し本体の背面よりも前記トレイの背面がより奥側となる停止位置で前記トレイの奥側への摺動を停止させるストッパー機構を備えることを特徴とする請求項１〜請求項５のいずれか一項に記載の引き出し。
【請求項７】
キャビネット本体に対して引き出しを引き出し可能に収容するキャビネットであって、
前記引き出しは、引き出し本体と、物を収納する収納凹部を有するトレイと、を備え、
前記引き出し本体の側部に前記トレイの底部が載置されて前記引き出し本体に対して前記トレイが前記側部に沿って摺動可能とされ、
前記トレイの側部は、下側へ延長されて前記引き出し本体の側部と内外に重なる延長部を有することを特徴とするキャビネット。
【発明の詳細な説明】
【技術分野】
【０００１】
本発明は、システムキッチン等に設けられる引き出し、及び、キャビネットに関する。
【背景技術】
【０００２】
システムキッチンのキャビネットには、菜箸やお玉や計量スプーンといった小型の調理器具、調味料、等の物を収納する引き出しが設けられている。特許文献１には、キャビネット本体から引き出された引き出しの上に同じキャビネット本体から引き出された平板状のサービストレイが載置される引き出し構造が開示されている。サービストレイは、キャビネット本体の側板に固定されたレールに対して摺動可能に取り付けられ、キャビネット本体内では引き出しから上へ離隔している。このサービストレイは、キャビネット本体から引き出されたときに作業台として使用されるものであり、物を収納することができない。
【先行技術文献】
【特許文献】
【０００３】
【特許文献１】特開２００４−２７５３９８
【発明の概要】
【発明が解決しようとする課題】
【０００４】
引き出しの収納性を向上させるため、物を収納する収納凹部を有しキャビネット本体から独立した箱状トレイを引き出し本体の上に設けることが考えられる。この場合、引き出し本体の上から箱状トレイが側方へずれるとキャビネット本体に対して引き出しを出し入れすることができなくなるため、箱状トレイに対して側方への力が加わったときに引き出し本体の上から箱状トレイが側方へ落ちないようにする必要がある。
なお、上述した問題は、洗面化粧台の引き出し等、システムキッチン以外の引き出しにも存在する。
【０００５】
本発明は、トレイに対して側方への力が加わってもトレイが摺動位置から外れ難い引き出しを提供する目的を有する。
【課題を解決するための手段】
【０００６】
本発明の引き出しは、引き出し本体と、
物を収納する収納凹部を有するトレイと、を備え、
前記引き出し本体の側部に前記トレイの底部が載置されて前記引き出し本体に対して前記トレイが前記側部に沿って摺動可能とされ、
前記トレイの側部は、下側へ延長されて前記引き出し本体の側部と内外に重なる延長部を有する、態様を有する。
【０００７】
すなわち、トレイの側部に下側へ延長された延長部が引き出し本体の側部と内外に重なっているので、トレイに対して側方への力が加わってもトレイが摺動位置から外れ難い。
なお、上記引き出しを備えるキャビネットやシステムキッチン等も、上述した作用、効果を奏する。
【発明の効果】
【０００８】
本発明によれば、トレイに対して側方への力が加わってもトレイが摺動位置から外れ難い引き出し、及び、キャビネットを提供することができる。
【図面の簡単な説明】
【０００９】
【図１】引き出し１を有するシステムキッチンＫ１を例示する斜視図である。
【図２】引き出し本体１０にトレイ５０を載せた引き出し１を例示する斜視図である。
【図３】トレイ５０の底部６０側を例示する斜視図である。
【図４】引き出し１を例示する側面図である。
【図５】図４のＡ１−Ａ１の位置で引き出し１を切断した垂直断面図である。
【図６】図５のＡ２部分にある脚部６２及びその近傍を拡大した垂直断面図である。
【図７】図２のＡ３部分にある凸部８１及びその近傍を拡大した斜視図である。
【図８】引き出し方向Ｄ１に沿った引き出し１の垂直断面を例示する垂直断面図である。
【図９】（ａ）〜（ｄ）は引き出し本体側部２０の重なり部２４とトレイ側部７０の延長部７２との構造の変形例を示す図である。
【図１０】（ａ）〜（ｄ）は引き出し本体側部２０の重なり部２４とトレイ側部７０の延長部７２との構造の変形例を示す図である。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜８を参照して本技術の概要を説明する。
【００１２】
引き出し１は、基本要素として、引き出し本体１０と、物Ｇ１を収納する収納凹部５１を有するトレイ５０と、を備える。前記引き出し本体１０の側部２０には前記トレイ５０の底部６０が載置され、前記引き出し本体１０に対して前記トレイ５０が前記側部２０に沿って摺動可能とされている。前記トレイ５０の側部７０は、下側へ延長されて前記引き出し本体１０の側部２０と内外に重なる延長部７２を有する。すなわち、トレイ５０の側部７０に下側へ延長された延長部７２が引き出し本体１０の側部２０と内外に重なっているので、トレイ５０に対して側方Ｄ４への力が加わってもトレイ５０が摺動位置から外れ難い。
【００１３】
前記延長部７２は、前記引き出し本体１０の側部２０の外側Ｓ３ｏに配置されてもよい。この態様は、見た目の良好な引き出し１を提供することができる。
【００１４】
前記引き出し本体１０の側部２０のうち前記延長部７２と内外に重なる重なり部２４の外側面２４ｏは、前記引き出し本体１０の側部２０のうち前記重なり部２４の下にある基部２２の外側面２２ｏよりも内側Ｓ３ｉにあってもよい。この態様は、さらに見た目の良好な引き出し１を提供することができる。
【００１５】
前記トレイ５０の側部７０の延長部７２の外側面７２ｏは、前記引き出し本体１０の側部２０の基部２２の外側面２２ｏに合わせられてもよい。この態様は、さらに見た目の良好な引き出し１を提供することができる。
【００１６】
前記トレイ５０の底部６０は、下側へ出て前記引き出し本体１０の側部２０の上端２１に対して前記トレイ５０の摺動方向Ｄ７へ移動可能に載置される脚部６２を有してもよい。前記引き出し本体１０の側部２０の上端２１は、該上端２１に沿って前記脚部６２を案内するガイド部２１ｇを有してもよい。引き出し本体１０の側部２０の上端２１に対してトレイ５０の摺動方向Ｄ７へ移動可能に載置される脚部６２がトレイ５０の底部６０において下側へ出ているので、本態様は、トレイ５０と引き出し本体１０との接触面積を小さくすることができる。従って、本態様は、トレイ５０の摺動抵抗を小さくすることができ、トレイ５０を動かす操作性を向上させることができる。
【００１７】
前記引き出し本体１０の背面１４ｂよりも前記トレイ５０の背面５４ｂがより奥側Ｓ２となる停止位置Ｐ１で前記トレイ５０の奥側Ｓ２への摺動を停止させるストッパー機構８０を備えてもよい。トレイ５０の背面５４ｂが引き出し本体１０の背面１４ｂよりも奥側Ｓ２となるまでトレイ５０を引き出し本体１０に対して摺動させることができるので、本態様は、引き出し本体１０に対して物Ｇ１を出し入れし易くすることができる。また、前記停止位置Ｐ１でトレイ５０の奥側Ｓ２への摺動が停止するので、引き出し本体１０に対してトレイ５０が奥の方へ落ちないようにすることができる。
【００１８】
（２）キャビネットを有するシステムキッチンの説明：
図１は、キャビネット本体９０に対して引き出し１を引き出し方向Ｄ１へ引き出し可能に収容するキッチン用のフロアキャビネット１００を設置したシステムキッチンＫ１の要部の構築例を分解して示している。図中、符号Ｄ１は引き出し１の引き出し方向、符号Ｄ２は引き出し方向Ｄ１とは反対の収容方向、符号Ｄ４Ｌは引き出し方向Ｄ１側（手前側Ｓ１）から見たときの左方、符号Ｄ４Ｒは手前側Ｓ１から見たときの右方、符号Ｄ５は上方、符号Ｄ６は下方、符号Ｓ４Ｌは左側、符号Ｓ４Ｒは右側、を示している。前述の左方Ｄ４Ｌ及び右方Ｄ４Ｒを側方Ｄ４と総称する。方向Ｄ１，Ｄ２と方向Ｄ４Ｌ，Ｄ４Ｒと方向Ｄ５，Ｄ６は、互いに交わっていればよく、互いに直交していることが好ましいものの、直交しない場合も本発明に含まれる。誤差により厳密な直交からずれることは、直交することに含まれる。分かり易く示すため、各方向の拡大率は異なることがあり、各図は整合していないことがある。
【００１９】
システムキッチンＫ１は、複数の構成要素が集合して形成される。各フロアキャビネット１００，１０１，１０２は、隣り合うフロアキャビネット同士で対面する側板がねじやナット等などの固定部品で連結されることにより一体化され、上部の開口部にキッチンカウンターＫ２が載置されて固定される。このカウンターＫ２には、シンクＫ３や加熱調理器具Ｋ４や食器洗浄機Ｋ５が組み込まれている。キャビネット１００〜１０２は各種の基準間口幅があり、各種の基準間口幅のフロアキャビネットが選択されて組み合わされることによりシステムキッチンＫ１が構築される。図１に示す引き出し１は、シンクＫ３や加熱調理器具Ｋ４や食器洗浄機Ｋ５を除いた例えば３０ｃｍ程度の幅とされている。
【００２０】
キャビネット本体９０は、キャビネット１００のうち引き出し１を含まない外側の箱をいうものとする。キャビネット本体９０は、例えば、一対の側板９２，９２の間に底板９３と背板が架け渡されて引き出し１の収容空間９１が形成された箱体で構成することができる。側板９２と底板９３の少なくとも一方には、引き出し１を引き出し方向Ｄ１及び収容方向Ｄ２へスライドさせるためのレールが設けられてもよい。例えば、固定部４１と可動部４２（図５参照）を有するスライドレール４０を用いる場合、固定部４１がキャビネット本体９０に取り付けられ、可動部４２が引き出し本体１０に取り付けられる。引き出し本体１０の底部１２にスライドレール可動部４２を固定し、キャビネット本体９０の側板９２と底板９３の少なくとも一方にスライドレール固定部４１を固定すると、ユーザーからスライドレール４０が見え難く、引き出し１の見た目を向上させることができる。
キャビネット本体の材質は、特に限定されず、木質素材、熱可塑性樹脂といった樹脂材料、ステンレス等の金属、等とすることができる。
【００２１】
（３）引き出しの構成：
図２は、引き出し１の外観を示している。引き出し１は、概略、物Ｇ１を収納する主収納凹部１１を有する引き出し本体１０と、物Ｇ１を収納する副収納凹部５１を有する着脱可能なトレイ５０とを備えている。引き出し本体１０の前部１３には、化粧板３０及び取っ手３１が取り付けられている。ただし、図２，４，７では、取っ手３１の図示を省略している。
【００２２】
図３は、トレイ５０の底部６０側を示している。図４は、引き出し１を右側面から見た図である。図５は、図４のＡ１−Ａ１の位置で引き出し１を切断した垂直断面図である。図中、符号Ｄ３ｉは収納凹部１１の外から内へ向かう内方、符号Ｄ３ｏは収納凹部１１の内から外へ向かう外方、符号Ｓ３ｉは内側、符号Ｓ３ｏは外側、を示している。前述の方向Ｄ３ｉ，Ｄ３ｏを内外方向Ｄ３と総称する。
トレイ５０は、引き出し本体１０に対して該引き出し本体１０の側部２０に沿った摺動方向Ｄ７へ摺動可能とされている。摺動方向Ｄ７は、引き出し方向Ｄ１及び収容方向Ｄ２に一致する方向が好ましいものの、一致しない場合も本発明に含まれる。誤差により厳密な方向Ｄ１，Ｄ２から摺動方向Ｄ７がずれることは、一致することに含まれる。図２に示す引き出し本体１０及びトレイ５０は、それぞれ、熱可塑性樹脂といった樹脂材料で一体成形した樹脂成形品とされている。樹脂材料の成形には、射出成形等を用いることができる。なお、引き出し本体１０及びトレイ５０には、木質材料の加工品、ステンレスといった金属材料の加工品、等も用いることができる。
【００２３】
図２に示す引き出し本体１０は、上部が開口した主収納凹部１１を一体形成する底部１２、前部１３、背部１４、及び、側部２０Ｌ，２０Ｒを有している。収納凹部１１には仕切り１５が形成されているが、仕切り１５は無くてもよい。底部１２の外底面１２ｏの左右両側には、図５に示すようにスライドレール４０の可動部４２が取り付けられてもよい。成形の都合上、仕切り１５や側部２０Ｌ，２０Ｒに肉抜部１５ｃ，２０ｃが形成されている。
ここで、側部２０Ｌ，２０Ｒを側部２０と総称する。また、引き出し本体の側部２０のうち、トレイ５０の側部７０の延長部７２と内外に重なる（オーバーラップする）部分を重なり部２４と呼び、重なり部２４の下にある部分を基部２２と呼ぶことにする。延長部７２と重なり部２４とが内外に重なるとは、図６に例示するように、収納凹部１１内の収納空間ＳＰ１と引き出し１の外部とを水平に結ぶ内外方向Ｄ３に沿った線分Ｌ１に延長部７２と重なり部２４の両方が交わることを意味する。
【００２４】
図５に示す重なり部２４の外側面２４ｏは基部２２の外側面２２ｏよりも内側Ｓ３ｉにあり、外側面２２ｏ，２４ｏの境界部に段部２５が形成されている。この段部２５があることにより、トレイ５０の摺動により重なり部の外側面２４ｏに傷が付いても判り難い。トレイ側部の延長部７２が入るように段部２５が外側面２２ｏ，２４ｏに形成されていることにより、延長部７２の外側面７２ｏが引き出し本体側部の基部の外側面２２ｏに合わせられている。外側面７２ｏ，２２ｏが合わせられているとは、両者の境界近傍において外側面７２ｏ，２２ｏが略同一面にあることを意味する。外側面７２ｏ，２２ｏに１ｍｍ程度以下、好ましくは０．５ｍｍ程度以下の段差があることも、略同一面にあることに含まれる。
また、図６にも例を示すように、重なり部２４（側部２０Ｌ，２０Ｒ）の摺動方向Ｄ７に沿った上端２１は、該上端２１に沿って、すなわち、摺動方向Ｄ７へトレイ底部６０の脚部６２を案内する溝状のガイド部２１ｇを有している。
さらに、図７，８にも例を示すように、重なり部２４（側部２０Ｌ，２０Ｒ）の上端２１における奥側Ｓ２の端部には、トレイ底部の脚部６２と干渉するように上方へ出た凸部８１が一体形成されている。該凸部８１は、図８に例示するように、脚部６２と接触することにより引き出し本体１０の背面１４ｂよりもトレイ５０の背面５４ｂがより奥側Ｓ２となる停止位置Ｐ１でトレイ５０の奥側Ｓ２への摺動を停止させるストッパー機構８０を構成する。
【００２５】
図２〜６に示すトレイ５０は、上部が開口した副収納凹部５１を一体形成する底部６０、前部５３、背部５４、及び、側部７０，７０を有する箱状とされている。収納凹部５１には仕切り５５が形成されているが、仕切り５５は無くてもよい。成形の都合上、仕切り５５や側部７０に肉抜部５５ｃ，７０ｃが形成されている。
【００２６】
図２〜６に示す側部７０は、基部７１から下側へ延長されて引き出し本体１０の側部２０と内外に重なる（オーバーラップする）延長部７２を有している。延長部７２は、引き出し本体の側部２０の外側Ｓ３ｏに配置されている。延長部７２の外側面７２ｏは、引き出し本体側部の基部２２の外側面２２ｏに合わせられている。これにより、良好な外観が得られている。
設計上、トレイ側部の延長部７２と引き出し本体側部の重なり部２４とがごく僅かに離隔して配置され、延長部７２における摺動抵抗が抑制されている。すなわち、延長部７２の主機能は、トレイ５０の摺動方向Ｄ７への案内ではなく、トレイ５０に側方Ｄ４への力が加わったときに引き出し本体１０からトレイ５０が落ちないようにすることである。また、延長部７２には、取り外していたトレイ５０を引き出し本体１０に載せるときに左右の位置を決める、すなわち、摺動位置に決める機能も有する。
【００２７】
トレイ底部６０は、一般部６１と、この一般部６１の外底面６１ｏから下側へ出た脚部６２とを有している。脚部６２は、トレイ側部７０の延長部７２から内側Ｓ３ｉに配置され、最も下にある先端部６３が延長部７２の下縁部よりも上側に配置されている。脚部の先端部６３は、爪状に細くされ、引き出し本体１０の側部上端２１の溝状ガイド部２１ｇに対してトレイの摺動方向Ｄ７へ移動可能に挿入される。従って、脚部６２は、引き出し本体の側部上端２１に対して摺動方向Ｄ７へ移動可能に載置されることになる。図３に示す脚部６２は、トレイ底部の外底面６１ｏにおける左右縁部のそれぞれに前後２箇所形成されている。トレイの脚部先端部６３と引き出し本体の側部上端２１との接触面積が小さいので、トレイ５０の摺動抵抗が小さく、引き出し本体１０に対してトレイ５０を動かす操作性が良好である。
【００２８】
以上説明したようにして、引き出し本体１０の側部２０にトレイ５０の底部６０が載置されて引き出し本体１０に対してトレイ５０が側部２０に沿って摺動可能とされている。
なお、上述した爪状先端部６３を有する脚部６２が好ましいものの、脚部６２が摺動方向Ｄ７へ長手状に形成され、脚部先端部６３が溝状ガイド部２１ｇに挿入される突条（突出した筋道）であっても、トレイ５０を動かす操作性が得られる。このような突条も、凸部に含まれる。
【００２９】
また、上述した構造は、図２〜８に示す引き出し１の左右両側に設けられているが、左右のいずれか一方のみ設けられても上述した効果が得られる。
【００３０】
（４）引き出しの作用及び効果の説明：
次に、引き出し１の作用及び効果を説明する。
図１に示すようにキャビネット本体９０に収容されている引き出し１を引き出すと、側部２０にトレイ５０が載置された引き出し本体１０が現れる。引き出し本体の主収納凹部１１の手前側Ｓ１に対して物Ｇ１を出し入れするとき、トレイ５０を手で奥側Ｓ２へ押すと、図８に示すようにトレイ５０の脚部６２が引き出し本体１０の凸部８１に突き当たるまでトレイ５０を摺動させることができる。脚部６２が凸部８１に突き当たる停止位置Ｐ１でトレイ５０の奥側Ｓ２への摺動が停止することにより、引き出し本体１０に対してトレイ５０が奥の方へ落ちない。また、停止位置Ｐ１ではトレイの背面５４ｂが引き出し本体の背面１４ｂよりも奥側Ｓ２にあるので、収納凹部１１の開放された手前側Ｓ１に対して物Ｇ１を出し入れし易い。
【００３１】
また、引き出し本体の主収納凹部１１の奥側Ｓ２に対して物Ｇ１を出し入れするとき、トレイ５０を手で手前側Ｓ１へ引くと、収納凹部１１の奥側Ｓ２を開放することができる。むろん、引き出し本体１０からトレイ５０を取り外して主収納凹部１１に対して物Ｇ１を出し入れしてもよい。取り外していたトレイ５０を引き出し本体１０に載せるとき、引き出し本体側部の重なり部２４とトレイ側部７０の延長部７２とでトレイ５０が正しく摺動する位置に決まる。
【００３２】
引き出し本体１０にトレイ５０が載置されているとき、トレイ側部７０の延長部７２が引き出し本体１０の側部２０と内外に重なっているので、トレイ５０に対して側方Ｄ４への力が加わってもトレイ５０が摺動位置から外れ難い。従って、本技術は、トレイ５０に対して側方Ｄ４への力が加わってもトレイ５０が摺動位置から外れ難い引き出し１を提供することができる。
また、トレイ側部の延長部７２が引き出し本体側部２０の外側Ｓ３ｏに配置され、引き出し本体側部２０において重なり部２４の外側面２４ｏが基部２２の外側面２２ｏよりも内側Ｓ３ｉにあり、トレイ側部の延長部７２の外側面７２ｏが引き出し本体側部の基部２２の外側面２２ｏに合わせられているので、引き出された引き出し１の見た目が良好である。
【００３３】
なお、引き出されている引き出し本体１０にトレイ５０を載せた状態で引き出し１を押すと、キャビネット本体９０に引き出し１を収容することができる。
【００３４】
（５）変形例：
本発明は、種々の変形例が考えられる。
例えば、引き出しは、システムキッチン以外の場所に設置される食器棚、洗面化粧台、等に設けられてもよい。
引き出し本体側部の上端のガイド部は、溝以外にも、長手方向を摺動方向Ｄ７に向けた突条等でもよい。ガイド部を突条にする場合、この突条が挿入される摺動方向Ｄ７へ向いた溝をトレイ底部の脚部に設けると、引き出し本体に対してトレイを摺動方向Ｄ７へ摺動させることができる。むろん、トレイを摺動方向Ｄ７へ摺動させる機構は、凸部を溝に挿入する機構に限定されない。
ストッパー機構は、トレイ底部の脚部と干渉する引き出し本体側部上端の凸部以外にも、脚部以外のトレイ底部と干渉する引き出し本体背部上端等でもよい。
【００３５】
むろん、トレイ側部の延長部７２の外側面７２ｏが引き出し本体側部の基部２２の外側面２２ｏに合わせられていなかったり、引き出し本体側部２０において重なり部２４の外側面２４ｏが基部２２の外側面２２ｏよりも外側Ｓ３ｏにあったり、トレイ側部の延長部７２が引き出し本体側部２０の内側Ｓ３ｉに配置されたりしても、本技術の基本的な効果が得られる。
【００３６】
引き出し本体側部２０の重なり部２４とトレイ側部７０の延長部７２との構造は、様々考えられる。
図９（ａ）の要部斜視図、及び、図９（ｂ）の要部垂直断面図に例示する引き出し１Ａのトレイ側部７０は、基部７１から外側Ｓ３ｏ寄りに二股状に下方へ延長されて引き出し本体側部２０の重なり部２４が挿入される溝７２ｇが形成された延長部７２を有している。引き出し１Ａの溝７２ｇは、トレイ底部にあり、重なり部２４（側部２０）に載置されてトレイが摺動方向Ｄ７へ摺動するようにされている。延長部の外側面７２ｏは、基部２２の外側面２２ｏに合わせられている。
【００３７】
図９（ｃ）の要部斜視図、及び、図９（ｄ）の要部垂直断面図に例示する引き出し１Ｂの引き出し本体側部２０は、基部２２から二股状に上方へ延長されてトレイ側部７０の延長部７２が挿入される溝２４ｇが形成された重なり部２４を有している。延長部７２は、基部７１から段状に内側Ｓ３ｉへ寄ってから下方へ延長されている。延長部７２は、トレイ底部にあり、溝２４ｇ（側部２０）に載置されてトレイが摺動方向Ｄ７へ摺動するようにされている。基部７１の外側面７１ｏは、基部２２の外側面２２ｏに合わせられている。
【００３８】
図１０（ａ）の要部斜視図、及び、図１０（ｂ）の要部垂直断面図に例示する引き出し１Ｃの引き出し本体側部２０は、基部２２の内側Ｓ３ｉから上方へ延出した重なり部２４を有し、この重なり部２４の先端が外側Ｓ３ｏへ折れ曲がった折曲部２４ｈとされて外向きの溝２４ｇが形成されている。トレイ側部７０の延長部７２は先端部７２ｎに向かって途中で内側Ｓ３ｉへ折れ曲がった折曲部７２ｈを有し、この折曲部７２ｈの先端部７２ｎが下方へ出ている。先端部７２ｎは、トレイ底部にあり、基部２２（側部２０）に載置されてトレイが摺動方向Ｄ７へ摺動するようにされている。延長部の外側面７２ｏは、基部２２の外側面２２ｏに合わせられている。
【００３９】
図１０（ｃ）の要部斜視図、及び、図１０（ｄ）の要部垂直断面図に例示する引き出し１Ｄの引き出し本体側部２０は、基部２２の外側Ｓ３ｏから上方へ延出した重なり部２４を有し、この重なり部２４の先端が内側Ｓ３ｉへ折れ曲がった折曲部２４ｈとされて内向きの溝２４ｇが形成されている。トレイ側部７０の延長部７２は先端部７２ｎに向かってまず内側Ｓ３ｉへ折れ曲がり次に下方へ折れ曲がり、その先に外側Ｓ３ｏへ折れ曲がった折曲部７２ｈを有し、この折曲部７２ｈの先端部７２ｎが下方へ出ている。先端部７２ｎは、トレイ底部にあり、基部２２（側部２０）に載置されてトレイが摺動方向Ｄ７へ摺動するようにされている。基部７１の外側面７１ｏは、基部２２の外側面２２ｏに合わせられている。
【００４０】
（６）結び：
以上説明したように、本発明によると、種々の態様により、トレイに対して側方への力が加わってもトレイが摺動位置から外れ難い引き出し等の技術を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４１】
１，１Ａ〜１Ｄ…引き出し、
１０…引き出し本体、１１…収納凹部、
１２…底部、１２ｏ…外底面、１３…前部、１４…背部、１４ｂ…背面、
２０，２０Ｌ，２０Ｒ…側部、２１…上端、２１ｇ…ガイド部、
２２…基部、２２ｏ…外側面、
２４…重なり部、２４ｏ…外側面、２４ｇ…溝、２４ｈ…折曲部、２５…段部、
５０…トレイ、５１…収納凹部、
５３…前部、５４…背部、５４ｂ…背面、
６０…底部、６１…一般部、６１ｏ…外底面、６２…脚部、６３…先端部、
７０…側部、７１…基部、７１ｏ…外側面、
７２…延長部、７２ｏ…外側面、７２ｇ…溝、７２ｈ…折曲部、７２ｎ…先端部、
８０…ストッパー機構、８１…凸部、
９０…キャビネット本体、９１…収容空間、９２…側板、９３…底板、
１００〜１０２…キャビネット、
Ｄ１…引き出し方向、Ｄ２…収容方向、Ｄ３…内外方向、Ｄ３ｉ…内方、Ｄ３ｏ…外方、
Ｄ４…側方、Ｄ４Ｌ…左方、Ｄ４Ｒ…右方、Ｄ５…上方、Ｄ６…下方、Ｄ７…摺動方向、
Ｋ１…システムキッチン、Ｋ２…カウンター、
Ｐ１…停止位置、
Ｓ１…手前側（引き出し方向側）、Ｓ２…奥側、Ｓ３ｉ…内側、Ｓ３ｏ…外側。
【図１】
2015100456.tif 000003
【図２】
2015100456.tif 000004
【図３】
2015100456.tif 000005
【図４】
2015100456.tif 000006
【図５】
2015100456.tif 000007
【図６】
2015100456.tif 000008
【図７】
2015100456.tif 000009
【図８】
2015100456.tif 000010
【図９】
2015100456.tif 000011
【図１０】
2015100456.tif 000012